(57)【要約】【課題】ＣＲユニット等の外部装置と遊技機間を接続するケーブルが引き起こすおそれがあるトラブルを未然に防ぐことができる遊技機を提供すること。【解決手段】遊技機本体１は、プリペイドカード、貸メダル等による遊技球の貸出し機能を備えた遊技機であって、外部装置としてのＣＲユニット２が隣接して外付けされている。遊技機本体１とＣＲユニット２との信号のやりとり用の配線ケーブル２４は、前記遊技機本体１のカードインターフェイス基板３Ａと前記ＣＲユニット２のコネクタ間において、クランプ５に折畳まれて保持されている。よって、そのケーブル２４の途中がたるむことで、遊技機本体背面側に配置されている球受け６に入り込まないようにされている。【選択図】        図２
2004275566.tif 000002
【特許請求の範囲】
【請求項１】
外付けされる外部装置と遊技機本体とが配線ケーブルを用いて接続される遊技機において、
前記配線ケーブルの一部が遊技機本体背面側に配置された球受けに入り込むことを防止する配線ケーブル保持部を前記遊技機本体背面又は前記外部装置背面に設けたことを特徴とする遊技機。
【請求項２】
前記配線ケーブル保持部を遊技機本体の球排出口より上部に配置して、前記配線ケーブルの途中を保持することを特徴とする請求項１に記載の遊技機。
【請求項３】
前記配線ケーブル保持部を遊技機本体背面の基板ケースの上面部に配置して、前記配線ケーブルの途中を保持することを特徴とする請求項１又は２に記載の遊技機。
【請求項４】
前記配線ケーブル保持部は、前記配線ケーブル外周の倍以上の保持空間と、その保持空間に設けられ、且つ、前記配線ケーブルを圧接保持する弾性保持部を備えていることを特徴とする請求項１乃至３の何れかに記載の遊技機。
【請求項５】
外付けされる外部装置に接続するための配線ケーブルの一部が遊技機本体背面側に配置された球受けに入り込むことを防止する配線ケーブル保持部を前記遊技機本体に設けたことを特徴とする遊技機。
【発明の詳細な説明】
【０００１】
【発明の属する技術分野】
本発明は、プリペイドカード等を用いる遊技球の球貸システムを備えたパチンコ機等の遊技機に関する。
【０００２】
【従来の技術】
プリペイドカード等を用いる遊技球の球貸システムは、遊技者が遊技機に配置された球貸ボタンを操作した場合に、遊技機の上受皿に所定数の遊技球を供給するようになっている。このシステムは、前記プリペイドカード等の情報を処理するＣＲユニットと遊技機本体側に設けられている賞球払出制御基板及び同払出ユニットを利用するもので、両者間には信号の送受信用の配線ケーブルが取付けられている。
このケーブルの一端が取付けられる遊技機本体側のコネクタの配置場所は、各機種によって異なること、また遊技機本体とＣＲユニットとの設置間隔に対応させる必要があること等のため、配線ケーブルは長めに準備されている（例えば、特許文献１参照）。
【０００３】
【特許文献１】
特開２００２−２５３７５８号公報（図５）
【０００４】
【発明が解決しようとする課題】
しかし、特許文献１のように、ケーブルをＣＲユニットと遊技機本体間で取付けたままにしておくと、ケーブルのたるみ部分が、遊技機背面側に設置された「球受け」に入り込んでしまう恐れがあった。
この球受けは、遊技機から排出されるアウト球、入賞球などを受け止め、一時的に貯留したり、島設備側に送出するもので、ケーブルの一部が球受けに入り込んでしまうと、球の流れを妨げてしまい、球が溢れて落下してしまう場合等があった。
【０００５】
そこで、本願発明は、ＣＲユニット等の外部装置と遊技機本体間を接続するケーブルが引き起こすおそれがあるトラブルを未然に防ぐことができる遊技機を提供することを目的とする。
【０００６】
【課題を解決するための手段】
上記課題を解決するため、本発明は、外付けされる外部装置と遊技機本体とが配線ケーブルを用いて接続される遊技機において、前記配線ケーブルの一部が遊技機本体背面側に配置された球受けに入り込むことを防止する配線ケーブル保持部を前記遊技機本体背面又は前記外部装置背面に設けたことを特徴とする（請求項１の発明）。
ここで、外部装置は典型例には球貸システムを構成する貸球機、ＣＲユニット、プリペイドカードユニット、カード式玉貸機と称されるものであるが、その他メモリ装置等、遊技機を補完するため外付けされる装置が含まれる。
この発明によれば、配線ケーブルの弛み部分が球受けに入り込み、これがトラブルの原因となることを防止できる。
【０００７】
上記発明において、前記配線ケーブル保持部を遊技機本体の球排出口より上部に配置して、前記配線ケーブルの途中を保持するようにする（請求項２に記載の発明）。
遊技機本体の球排出口は、アウト球、セーフ（入賞）球が集められて球受けに排出される口であり、この発明により球排出口より下に配線ケーブルの弛み部分を位置させないことで、配線ケーブルの球受けへの入り込みを防ぐことができる。
【０００８】
上記発明において、前記配線ケーブル保持部を遊技機本体背面の基板ケースの上面部に配置して、前記配線ケーブルの途中を保持するようにする（請求項３に記載の発明）。
この発明によれば、遊技機背面側の保守点検に際し、配線ケ−ブルの状態把握が容易になる。
【０００９】
上記発明において、前記配線ケーブル保持部は、前記配線ケーブル外周の倍以上の保持空間と、その保持空間に設けられ、且つ、前記配線ケーブルを圧接保持する弾性保持部を備えていることを特徴とする（請求項４に記載の発明）。
この発明によれは、遊技機本体背面と外部装置間に接続された配線ケーフルを前記配線ケーブル保持部にて折畳んで保持することができるので、配線ケーブルの長さを自在に、且つ、簡単に調整できる。また、配線ケーブルの位置ずれを防ぐことができる。
【００１０】
上記課題を解決するため、本発明は、外付けされる外部装置に接続するための配線ケーブルの一部が遊技機本体背面側に配置された球受けに入り込むことを防止する配線ケーブル保持部が前記遊技機本体に設けられていることを特徴とする（請求項５に記載の発明）。
この発明によれば、配線ケーブルの弛み部分が球受けに入り込み、これがトラブルの原因となることを防止できる。
また、この発明によれば、前記配線ケーブルに対し、前記配線ケーブル保持部は、その保持部と外部装置のコネクタ間において、所定の「ゆとり」を保つように、前記配線ケーブルの長さを調整可能にする。
即ち、遊技機背面の保守点検に際し、遊技機本体の内枠を開ける場合には、前記外部装置と前記遊技機本体背面の各コネクタ間の配線ケーブルに「ゆとり」が必要になるが、そのゆとりを前記遊技機本体の配線ケーブル保持部が自在に調整する。
【００１１】
【発明の実施の形態】
上記各発明の実施形態に係る構成例を図面に基づいて説明する。
図１は実施形態に係るパチンコ遊技機本体（以下、単に遊技機ともいう）及び外部装置の正面図、図２は同背面斜視図、図３（Ａ）〜（Ｃ）はそれぞれ、同遊技機に用いられる配線ケーブル保持部としてのクランプ斜視図である。
なお、これらの各図、後述の各図において、同一の構成については、同一の符号を付して、重複した説明を省略する。
【００１２】
実施形態に係る遊技機１は、プリペイドカード、貸メダル等による遊技球の貸出し機能を備えた遊技機であって、外部装置としてのＣＲユニット２が隣接して外付けされている。遊技者が、プリペイドカード等を前記ＣＲユニット２のカード挿入口２０に挿入した後、遊技機１の前面枠１Ａ下方に設けられた上受皿２１の球貸ボタン２２を押すと、その上受皿２１に所定数の遊技球が貸し出される。そして、遊技者が発射ハンドル４を操作することで、遊技球が遊技機１の遊技領域１０に打ち込まれ、遊技が開始される。
前記遊技領域１０には、一般入賞口１１Ａ〜１１Ｄ、始動通過ゲート１２、始動入賞口１３、大入賞口１４、普通図柄表示装置１５及び特別図柄表示装置１６が配置されている。
遊技領域１０に打ち込まれた遊技球が前記始動通過ゲート１２を通過すると、普通図柄表示装置１５により普通図柄表示ゲームが行われる。そのゲーム結果に基づき、前記始動入賞口１３が開き、その入賞に基づき特別図柄表示装置１６により特別図柄表示ゲームが行われ、特定の図柄が揃うと「大当たり」となり、前記大入賞口１４が開閉され、賞球獲得のチャンスが増大する。
遊技の終了後に、遊技者が前記上受皿２１のカード返却ボタン２３を押すと、ＣＲユニット２のカード挿入口２０からカードが排出される。
【００１３】
このような遊技機１とＣＲユニット２との信号のやりとり用の配線ケーブル２４は、図２に示したように、前記遊技機１のカードインターフェイス基板３Ａ（図４参照）と前記ＣＲユニット２のコネクタ間において、配線ケーブル保持部としてのクランプ５に折畳まれて保持されている。よって、そのケーブル２４の途中がたるむことで、遊技機背面側に配置されている球受け６に入り込まないようにされている。
なお、前記球受け６は、上述のように遊技機１から排出されるアウト球、入賞球（セーフ球）などを一時的に貯留するもので、バケット状のものと、樋状のもの等がある。
【００１４】
前記クランプ５は、前記ケーブル２４の途中を保持するもので、図３（Ａ）〜（Ｃ）に図示したように、本体５０とクランプ片５１からなり、本体５０の一端には、内側立設片５２と外側のＴ字状立設片５３が形成されている。
一方、クランプ片５１は本体５０の他端から略垂直に立上がる立上部５１ａ、折曲部５１ｂ、フック部５１ｃからなり、そのフック部５１ｃの自由端５１ｄが、前記内側立設片５２とＴ字状立設片５３間に係脱自在に構成され、保持空間５４が形成されている。
この保持空間５４には、前記配線ケーブル２４の外周の倍以上の空間が形成され、その空間、即ち前記フック部５１ｃの裏面には前記配線ケーブル２４を圧接保持する略菱形状の弾性保持部５１ｅが形成されている。そして折畳まれて厚くなったケーブル２４を、その弾性保持部５１ｅと本体５０間で圧接し保持するようになっている。
【００１５】
このように構成されたクランプ５の本体５０裏面に、例えば両面テープを貼ることで、任意の場所に固着できるようになっている。
具体的には、前記クランプ５を遊技機１の球排出口１９（図２、図４参照）より上方に配置する。
前記球排出口１９は、アウト球、セーフ球を集めて、前記球受け６に送出す口で、この球排出口１９の近辺に前記ケーブル２４の一部がたれ下がれば、ケーブル２４の一部が球受け６に入り込み易くなってしまうからである。
【００１６】
より具体的には、この実施形態に係る遊技機１では、遊技機１の球排出口１９より上方であると共に、前記配線ケーブル２４の他端が接続されるカードインターフェイス基板３Ａの略直上で、且つ、遊技機背面の賞球払出制御基板３Ｂのケース上面部に固着されている。
この位置に前記クランプ５を固着し、その途中を折畳んだケーブル２４を保持することで、遊技機１の保守管理の際に内枠１Ｂを開けた段階で前記ケーブル２４の取付状態等を視認することができ、保守管理を容易に行うことができる。
なお、カードインターフェイス基板３Ａとクランプ５間のケーブル２４の弛みを最小限に抑えると同時に、このクランプ５により、クランプ５とＣＲユニット２のコネクタ間のケーブル２４にゆとりを持たせるように調整する。
よって、遊技機１の内枠１Ｂを開ける場合に必要なケーブル２４のゆとりを得ることができる。
【００１７】
遊技機の機種によって、前記カードインターフェイス基板３Ａの配置位置が異なる場合等では、上述のように、ケーブル２４のゆとりやケーブル２４の弛みを最小限に抑える点を考慮して、前記クランプ５の固定位置を決定すればよい。また前記カードインターフェイス基板３Ａの配置位置や、ケーブル２４の長さによっては、クランプ５を１箇のみでなく、２箇以上使用してもよい。さらに、前記ＣＲユニット２の背面に前記クランプ５を取付けても良い。
【００１８】
また配線ケーブル保持部としては、上記クランプ５のように弾性を利用するものに限定されるものではなく、ケーブル２４を緊締する構造等、どのような構成でもよい。
【００１９】
以上のような構成により接続された遊技機とＣＲユニットの動作を、遊技機の背面構造（図４（Ａ））に対応させた制御ブロック図に基づき説明する共に、遊技制御ブロックについても説明する。
図５のように前記カードインターフェイス基板３Ａには、前記ＣＲユニット２のほか、前記球貸ボタン２２、カード返却ボタン２３、プリペイドカードの度数表示器２５及び賞球払出制御基板３Ｂがそれぞれ接続されている。
【００２０】
遊技者がプリペイドカードを前記ＣＲユニット２のカード挿入口２０に挿入すると、ＣＲユニット２はそのカードの残り度数を読み取り、その度数表示信号を前記カードインターフェイス基板３Ａを介して度数表示器２５に供給する。その結果、度数表示信号に応じた数値がＬＥＤ表示される。
【００２１】
遊技者が球貸スイッチ２２を押すと、球貸要求信号がカードインターフェイス基板３Ａを介して賞球払出制御基板３Ｂに送られ、前記要求信号に基づき、払出指令信号が生成され、前記賞球払出ユニット３Ｃの動作制御が行われる。払出される遊技球は計数スイッチでカウントされ、所定個数の遊技球をカウントした段階で前記賞球払出ユニット３Ｃが完了信号を前記賞球払出制御基板３Ｂに送る。このとき、前記ＣＲユニット２は、払出された遊技球数に応じて、プリレイドカードの残余度数を計算し、その減算信号を前記表示器２５に送ることで、減少した度数が表示されることになる。
【００２２】
一方、遊技機１の遊技を制御する遊技制御ブロックは、遊技の主制御を行う遊技制御基板３を備え、この遊技制御基板３には、前記始動通過ゲート１２の遊技球の通過を検出する始動入賞玉検出器１２ａ、各入賞口１１Ａ〜１１Ｄ、１３、１４への遊技球の入賞数をカウントする入賞個数検出器１１ａ、始動入賞口１３への遊技球の入賞を検出する特定入賞玉検出器１３ａからの信号を、それぞれ検出する検出回路３Ｄ、前記遊技制御基板３からの制御信号に基づいて音声制御を行う音声制御基板３Ｅ、前記普通図柄表示装置１５、前記特別図柄表示装置１６、装飾ＬＥＤ１７ａ、装飾ランプ１７ｂ、始動入賞記憶表示器１８ａ、入賞個数表示器１８ｂ等を接続すると共に、前記遊技制御基板３からの制御信号に基づいての前記各表示器の表示制御を行う表示制御基板３Ｆ、前記始動入賞口１３の開閉を行うソレノイド１３ｂ、前記大入賞口１４の開閉を行うソレノイド１４ｂを接続すると共に、前記遊技制御手段３からの制御信号に基づいて、各ソレノイドの動作制御を行うソレノイド駆動回路３Ｇが接続されている。
【００２３】
また前記遊技制御基板３は、上記入賞の種別に対応して所定個数の賞球の払出しを前記賞球払出制御基板３Ｂに指令し、この指令信号に基づいて前記賞球払出ユニット３Ｃが賞球を払出す。
このような遊技状態中においても、前記配線ケーブル２４が前記クランプ５に保持されていることで、トラブルなく遊技球が島設備内を循環することになる。
【００２４】
前記実施形態では弾球遊技機のパチンコ機について説明したが、パチスロ機、その他の遊技機に外付けの外部装置を取付け、配線ケーブルで接続する場合にも、上記発明を利用することができる。
【００２５】
【発明の効果】
本願発明によれば、配線ケーブルの弛み部分が球受けに入り込み、遊技球の流れを妨げてしまい、遊技球が溢れて落下してしまう等のトラブルを防止できる遊技機を提供できる。
また、本願発明によれば、遊技機本体に配線ケーブル保持部を設けたことで、遊技機背面の保守点検に際し、必要となる前記外部装置と前記遊技機本体の各コネクタ間の配線ケーブルの「ゆとり」が調整可能な遊技機を提供できる。
【図面の簡単な説明】
【図１】実施形態に係る遊技機の正面図、
【図２】同背面の斜視図、
【図３】（Ａ）〜（Ｃ）は、クランプの斜視図、
【図４】（Ａ）及び（Ｂ）は、同遊技機の背面図及び側面図、
【図５】同遊技機の制御ブロック図である。
【符号の説明】
１  遊技機                          １Ａ  前面枠
１Ｂ  内枠
１０  遊技領域                      １１Ａ〜１１Ｄ  一般入賞口
１１ａ  入賞個数検出器
１２  始動通過ゲート                １２ａ  始動入賞玉検出器
１３  始動入賞口                    １３ａ  特定入賞玉検出器
１３ｂ  １４ｂ  ソレノイド
１４  大入賞口                      １５  普通図柄表示装置
１６  特別図柄表示装置              １９  球排出口
１７ａ  装飾ＬＥＤ
１７ｂ  装飾ランプ                  １８ａ  始動入賞記憶表示器
１８ｂ  入賞個数表示器
２  ＣＲユニット                    ２０  カード挿入口
２１  上受皿                        ２２  球貸ボタン
２３  カード返却ボタン              ２４  配線ケーブル
２５  度数表示器
３  遊技制御基板                    ３Ａ  カードインターフェイス基板
３Ｂ  賞球払出制御基板              ３Ｃ  賞球払出ユニット
３Ｄ  検出回路
３Ｅ  音声制御基板                  ３Ｆ  表示制御基板
３Ｇ  ソレノイド駆動回路
４  発射ハンドル
５  クランプ                        ５０  本体
５１  クランプ片                    ５２  内側立設片
５３  Ｔ字状立設片                  ５１ａ  立上部
５１ｂ  折曲部                      ５１ｃ  フック部
５１ｄ  自由端                      ５１ｅ  弾性保持部
５４  保持空間
【図１】
2004275566.tif 000003
【図２】
2004275566.tif 000004
【図３】
2004275566.tif 000005
【図４】
2004275566.tif 000006
【図５】
2004275566.tif 000007